(57)【要約】【課題】取扱者が新生児収容かごに不用意に比較的強く手を掛けても、新生児収容かごがかご受け７に対して位置ずれする可能性がほとんどない新生児用ベッド構造を提供する。【解決手段】新生児収容かごをかご受け７にロックすることができるかごロック機構６１が、かご非ロック位置とかごロック位置との間を移動することができるかごロック部材６４を備えている。【選択図】  図５
2015198817.tif 000002
【特許請求の範囲】
【請求項１】
台車と、新生児用ベッドと、上記新生児用ベッドを上記台車上に配設するために、上記台車上に上記新生児用ベッドを支持しているベッド支持機構とを備え、
上記新生児用ベッドが、新生児を収容することができる新生児収容かごと、この新生児収容かごを着脱可能に収容することができるかご受けと、上記新生児収容かごを上記かご受けにロックすることができるかごロック機構とを備え、
上記かごロック機構が、上記新生児収容かごを上記かご受けにロックしていないかご非ロック位置と、上記新生児収容かごを上記かご受けにロックしているかごロック位置との間を移動することができるかごロック部材を備えていることを特徴とする新生児用ベッド構造。
【請求項２】
上記かごロック部材が、摘み部兼用のロック部と、この摘み部兼用のロック部に連設されている回動軸部とを備え、
上記回動軸部がかご受けに回動可能に支持され、
上記摘み部兼用のロック部を回動させることによって、上記かごロック部材が上記かご非ロック位置と上記かごロック位置との間を移動することができるように構成されていることを特徴とする請求項１に記載の新生児用ベッド構造。
【請求項３】
上記摘み部兼用のロック部が、上記回動軸部とはほぼ直交する方向に延在するように、ほぼ長手状に構成され、
ほぼ長手状の開孔が上記新生児収容かごに配設され、
上記摘み部兼用のロック部が上記かご非ロック位置にあるときには、上記かご受けに対する上記新生児収容かごの上記ロックが達成されないように、上記摘み部兼用のロック部が上記開孔にほぼ対応した状態で存在し、
上記摘み部兼用のロック部が上記かごロック位置にあるときには、上記かご受けに対する上記新生児収容かごの上記ロックが達成されるように、上記摘み部兼用のロック部の両端部によって上記新生児収容かごの上記開孔からの上記摘み部兼用のロック部の相対的な抜け止めが施されることを特徴とする請求項２に記載の新生児用ベッド構造。
【請求項４】
上記かご受けに取付け支持されている軸支持部材を備え、
上記軸支持部材が、フランジ部と、このフランジ部からほぼ下方に延在している筒状軸部とを備え、
上記回動軸部が上記筒状軸部に回動可能に支持され、
上記新生児収容かごのうちの上記開孔の外周縁部が上記フランジ部によって支持されるように構成されていることを特徴とする請求項３に記載の新生児用ベッド構造。
【請求項５】
上記かご受けに取付け支持されている軸支持部材を備え、
上記軸支持部材が、フランジ部と、このフランジ部からほぼ下方に延在している筒状軸部とを備え、
上記フランジ部のほぼ上面に少なくとも１個のカラーシールが設けられ、
上記回動軸部が上記筒状軸部に回動可能に支持され、
上記かごロック部材が上記かご非ロック位置に有るときには、上記摘み部兼用のロック部が上記カラーシールを覆い隠すように構成され、
上記かごロック部材が上記かごロック位置に有るときには、上記摘み部兼用のロック部が上記カラーシールを覆い隠さないように構成されていることを特徴とする請求項１、２または３に記載の新生児用ベッド構造。
【請求項６】
上記かごロック機構の組数が３組〜６組の範囲であり、
上記かごロック機構のそれぞれに対応するように配設されている上記開孔の個数が３個〜６個の範囲であることを特徴とする請求項３、４または５に記載の新生児用ベッド構造。
【発明の詳細な説明】
【技術分野】
【０００１】
本発明は、台車と、新生児用ベッドと、上記新生児用ベッドを上記台車上に配設するために、上記台車上に上記新生児用ベッドを支持しているベッド支持機構とを備え、上記新生児用ベッドが、新生児を収容することができる新生児収容かごと、この新生児収容かごを着脱可能に収容することができるかご受けとを備えている新生児用ベッド構造に関するものである。
【背景技術】
【０００２】
上述のように構成されている新生児用ベッド構造は、すでに知られている。そして、上記新生児用ベッド構造（以下、「上記既知の新生児用ベッド構造」という。）においては、新生児収容かごが透明または半透明であるから、新生児収容かごに収容される新生児の様子を取扱者などが外部から視認し易い。また、新生児収容かごが汚れたり破損したりしたときに、この新生児収容かごをかご受けから取外して清掃したり新しい新生児収容かごに取換えたりすることが、手軽に行われることができる。
【発明の概要】
【発明が解決しようとする課題】
【０００３】
しかし、上記既知の新生児用ベッド構造の場合には、新生児収容かごの外周面がかご受けの内周面と単に凹凸嵌合することによって、新生児収容かごがかご受けに収容されているに過ぎない。このために、取扱者などが新生児収容かごに不用意に比較的強く手を掛けるなどすることによって、新生児収容かごがかご受けに対して位置ずれする可能性がある。したがって、新生児収容かごに収容されている新生児が、その眠りを醒まされたり精神的な悪影響を受けたりする恐れがある。
【０００４】
本発明は、上記既知の新生児用ベッド構造における上述のような欠点を、比較的簡単な構成でもって、効果的に是正し得るようにしたものである。
【課題を解決するための手段】
【０００５】
本発明は、台車と、新生児用ベッドと、上記新生児用ベッドを上記台車上に配設するために、上記台車上に上記新生児ベッドを支持しているベッド支持機構とを備え、上記新生児用ベッドが、新生児を収容することができる新生児収容かごと、この新生児収容かごを着脱可能に収容することができるかご受けと、上記新生児収容かごを上記かご受けにロックすることができるかごロック機構とを備え、上記かごロック機構が、上記新生児収容かごを上記かご受けにロックしていないかご非ロック位置と、上記新生児収容かごを上記かご受けにロックしているかごロック位置との間を往復動することができるかごロック部材を備えていることを特徴とする児用ベッド構造に係るものである。
【０００６】
そして、本発明の第１の観点によれば、上記かごロック部材が、摘み部兼用のロック部と、この摘み部兼用のロック部に連設されている回動軸部とを備え、上記回動軸部がかご受けに回動可能に支持され、上記摘み部兼用のロック部を回動させることによって、上記かごロック部材が上記かご非ロック位置と上記かごロック位置との間を移動することができるように構成されている。また、本発明の第１の観点の第１の態様によれば、上記摘み部兼用のロック部が、上記回動軸部とはほぼ直交する方向に延在するように、ほぼ長手状に構成され、ほぼ長手状の開孔が上記新生児収容かごに配設され、上記摘み部兼用のロック部が上記かご非ロック位置にあるときには、上記かご受けに対する上記新生児収容かごの上記ロックが達成されないように、上記摘み部兼用のロック部が上記開孔にほぼ対応した状態で存在し、上記摘み部兼用のロック部が上記かごロック位置にあるときには、上記かご受けに対する上記新生児収容かごの上記ロックが達成されるように、上記摘み部兼用のロック部の両端部によって上記新生児収容かごの上記開孔からの上記摘み部兼用のロック部の相対的な抜け止めが施されている。この場合、上記かご受けに取付け支持されている軸支持部材を備え、上記軸支持部材が、フランジ部と、このフランジ部からほぼ下方に延在している筒状軸部とを備え、上記回動軸部が上記筒状軸部に回動可能に支持され、上記新生児収容かごのうちの上記開孔の外周縁部が上記フランジ部によって支持されるように構成されているのが好ましい。
【０００７】
また、本発明の第２の観点によれば、上記かご受けに取付け支持されている軸支持部材を備え、上記軸支持部材が、フランジ部と、このフランジ部からほぼ下方に延在している筒状軸部とを備え、上記フランジ部のほぼ上面に少なくとも１個のカラーシールが設けられ、上記回動軸部が上記筒状軸部に回動可能に支持され、上記かごロック部材が上記かご非ロック位置に有るときには、上記摘み部兼用のロック部が上記カラーシールを覆い隠すように構成され、上記かごロック部材が上記かごロック位置に有るときには、上記摘み部兼用のロック部が上記カラーシールを覆い隠さないように構成されている。さらに、本発明の第１の観点の第１の態様および本発明の第２の観点のそれぞれにおいては、上記かごロック機構の組数が、２組〜８組の範囲であるのが好ましく、３組〜６組の範囲であるのがさらに好ましく、上記かごロック機構のそれぞれに対応するように配設されている上記開孔の個数が、２個〜８個の範囲であるのが好ましく、３個〜６個の範囲であるのがさらに好ましい。
【発明の効果】
【０００８】
請求項１に係る発明によれば、取扱者などが新生児収容かごに不用意に比較的強く手などを掛けるなどした場合でも、新生児収容かごがかご受けに対して位置ずれする可能性がほとんどない。したがって、新生児かごに収容されている新生児が、その眠りを醒まされたり精神的な悪影響を受けたりする可能性が少ない。そして、請求項２に係る発明によれば、かごロック部材の構造が簡単で動作も確実である。また、請求項３に係る発明によれば、かごロック部材によって新生児収容かごをかご受けに迅速かつ確実にロックすることができる。
【０００９】
さらに、請求項４に係る発明によれば、かご受けが新生児収容かごによって損傷される可能性がほとんどなく、また、新生児収容かごの位置保持を確実に行うことができる。そして、請求項５に係る発明によれば、かご受けがかごロック部材によってロックされているか、あるいは、まだロックされていないかを比較的容易に視認することができるから、取扱者が誤操作する可能性が少ない。さらに、請求項６に係る発明によれば、比較的簡単で比較的安価な構造でもって、新生児収容かごをかご受けにロックしたりかご受けにロックしなかったりすることができる。
【図面の簡単な説明】
【００１０】
【図１】本発明の一実施例による新生児用ベッド構造の斜視図である。（実施例１）
【図２】図１に示す新生児用ベッド構造の、新生児収容かごを取除いた状態での斜視図である。（実施例１）
【図３】図１に示す新生児用ベッド構造の、新生児収容かごを取外した分解状態での下方部分を省略した斜視図である。（実施例１）
【図４】図２のＡ−Ａ線断面図である。（実施例１）
【図５】図４に示すかごロック機構付近の分解斜視図である。（実施例１）
【図６】図１に示すかごロック機構付近の、かご受けから新生児収容かごを取外した状態での部分的な平面図である。（実施例１）
【図７】図６に示すかごロック機構付近の、かごロック機構のかごロック操作前の状態での平面図である。（実施例１）
【図８】図６に示すかごロック機構付近の、かごロック機構のかごロック操作後の状態での平面図である。（実施例１）
【発明を実施するための最良の形態】
【００１１】
つぎに、本発明の一実施例による新生児用ベッド構造を、「１、新生児用ベッド構造の概略的な説明」、「２、台車の説明」、「３、新生児用ベッドの説明」、「４、支柱機構の説明」および「５、かごロック機構の説明」に項分けして、図面を参照しつつ説明する。
【００１２】
１、新生児用ベッド構造の概略的な説明
【００１３】
新生児用ベッド構造１は、図１〜図３に示すように、つぎの（ａ）項〜（ｄ）項に記載する主要な構成要素を備えている：
（ａ）ほぼ長方形状の台車本体２と、この台車本体２の下側面のほぼ四隅にそれぞれ取付けられている車輪としての４個のストッパ付きキャスタ（すなわち、左前側のキャスタ３ａ、右前側のキャスタ３ｂ、左後側のキャスタ（図示せず）および右後側のキャスタ３ｃ）とをそれぞれ有する台車４、
（ｂ）台車本体２のほぼ中央部分にその下端部付近を取付けられていて、この台車本体２に支持されている第１の支持機構またはベッド支持機構としての支柱機構５、
（ｃ）支柱機構５の上端部付近にその下端部付近を取付けられていて、この支柱機構５に支持されている新生児用ベッド６、および
（ｄ）支持機構５の上端部付近にその下端部付近を取付けられるとともに、新生児用ベッド６のかご受け７の下端部付近にその上端部付近を取付けられている第２の支持機構としての連結機構（図示せず）。
【００１４】
新生児用ベッド６は、図１〜図３に示すように、支柱機構５の上端部付近にその下端部付近を取付けられているほぼかご形状でかつ不透明であってよいかご受け７と、このかご受け７のかご収容用の凹部１１に着脱自在に収容されることができるほぼかご形状でかつ図１に示すように透明、半透明などの透光性であってよい新生児収容かご１２とを備えている。そして、このかご受け７の下方付近には、新生児用ベッド６を台車本体２に支持させるための支柱機構５が配設されている。
【００１５】
２、台車の説明
【００１６】
図１および図２に示すほぼ長方形状の台車本体２は、金属製などのベース部材（図示せず）と、このベース部材のほぼ全体をその上側からカバーしている合成樹脂製などのベースカバーとから成っている。そして、ベースカバー１３のほぼ四隅のそれぞれには、図１および図２に示すように、ほぼ前方またはほぼ後方に突出している突出部１４が形成されている。したがって、ベースカバー１３（換言すれば、台車本体２）の主要な平面であるほぼ平坦な面１５の前側面および後側面のそれぞれの中間部分には、切り込み形状の前側の凹部１６および切り込み形状の後側の凹部１７がそれぞれ設けられている。そして、ベースカバー１３のほぼ中央部には、ほぼ円形などの中央開口２１が設けられている。また、ベースカバー１３には、中央開口２１と前側の凹部１６との間に位置するように、ほぼ直方体形状などのへこみ形状に構成されている前側の物入れ２２が配設されている。さらに、ベースカバー１３には、中央開口２１と後側の凹部１７との間に位置するように、ほぼ直方体形状などのへこみ形状に構成されている後側の物入れ２３が前側の物入れ２２とはほぼ前後対称的に配設されている。
【００１７】
前側の凹部１６および後側の凹部１７は、図１および図２に示すように、互いに対称的に形成されている。そして、前側の凹部１６および後側の凹部１７のそれぞれは、ベースカバー１３の左右方向に細長いほぼ山形の形状に構成されている。具体的には、前側の凹部１６および後側の凹部１７のそれぞれの間口（換言すれば、上記左右方向における最大長さ）Ｌ１は、約４０ｃｍである。また、前側の凹部１６および後側の凹部１７のそれぞれの奥行き（換言すれば、前後方向における最大長さ）Ｌ２は、約７ｃｍである。なお、前側の凹部１６および後側の凹部１７のそれぞれの間口Ｌ１は、実用性の観点から見て一般的に、３２〜４８ｃｍの範囲であるのが好ましく、３６〜４４ｃｍの範囲であるのがさらに好ましい。また、前側の凹部１６および後側の凹部１７のそれぞれの奥行きＬ２は、実用性の観点から見て一般的に、５〜９ｃｍの範囲であるのが好ましく、６〜８ｃｍの範囲であるのがさらに好ましい。
【００１８】
ベースカバー１３を上記ベース部材にほぼ上方から被せると、図１および図２に示す台車本体２が得られる。そして、台車本体２には、ストッパ付きキャスタ３が、台車本体２の下側面のほぼ四隅付近に配設されている４本のキャスタ取付け軸（図示せず）のそれぞれに、取付け支持されている。また、図１および図２において、符号２４は、上記キャスタ取付け軸がそれぞれ挿通されている合成樹脂製などでかつほぼ円筒形状などの軸用カバーである。なお、それぞれの軸用カバー２４は、それぞれがほぼ半円筒形状であってよい金属製などの第１および第２のカバー片２５、２６を、凹凸嵌合によって、互いに着脱可能に結合したものであってよい。
【００１９】
３、新生児用ベッドの説明
【００２０】
新生児用ベッド６は、図１〜図３に示すように、新生児が収容されることができるように合成樹脂などから一体成形された例えばほぼ無色で透明、半透明などの透光性の新生児収容かご１２と、この新生児収容かご１２の下方部分がそのかご収容用凹部１１に着脱自在な嵌合状態で収容されることができるように、合成樹脂などから一体成形された例えば不透明な肌色（換言すれば、アイボリー・ホワイト色）のかご受け７とを備えている。そして、新生児収容かご１２の新生児収容空間２７のほぼ平らな底面部３１には、必要に応じてマットレス（図示せず）が敷設されてから、新生児（図示せず）が収容される。なお、新生児収容かご１２には、その底面部３１のほぼ全周囲にわたって、エンドレスな側壁部３２が一体的に立設されている。そして、この側壁部３２のうちの新生児収容かご１２のほぼ後側の部分（換言すれば、新生児の頭部付近にほぼ対応する部分）であるほぼＵ字形状の側壁部３３ａの高さは、図１に示すように、新生児収容かご１２のほぼ前側の部分（換言すれば、新生児の脚部付近にほぼ対応する部分）であるほぼＵ字形状の側壁部３３ｂと、新生児収容かご１２のほぼ中間の左右両側の部分（換言すれば、新生児の胴体付近にほぼ対応する部分）である左右両側の側壁部３３ｃとから成る複合部分であるほぼＵ字形状の側壁部のうちのいずれの部分の高さよりも、高くなっている。また、エンドレスな側壁部３２のうちのほぼＵ字形状の側壁部３３ａとほぼＵ字形状の側壁部３３ｂとの左右両側における境界部分付近のそれぞれの上端部は、側壁部３３ａの上端部から側壁部３３ｂの上端部に向って下方に連続的に傾斜する連続面としての傾斜面３３ｄになっている。
【００２１】
かご受け７は、図１および図３に示すように、新生児収容かご１２の下方部分の外周面とほぼ同形に構成されていてよいかご収容用凹部１１を備えている。このために、かご受け７のほぼ上下方向における中間部分には、図１および図４に示すように、支持板部または支持手段としての仕切り板部３４が配設されている。そして、かご受け７には、図１および図３に示すように、ほぼエンドレスな外向きフランジ部３５がかご収容用凹部１１のほぼ上端の外周囲のほぼ全体にわたって突設されている。また、ほぼエンドレスな外向きフランジ部３５のうちの前側の部分３６ａおよび後側の部分３６ｂのそれぞれは、広幅に構成されている。そして、これらの前側部分３６ａおよび後側部分３６ｂには、これらの前側部分３６ａおよび後側部分３６ｂの大よそ全長にわたってそれぞれ延在している前側の把手用スリット３７ａおよび後側の把手用スリット３７ｂがそれぞれ形成されている。このために、これらのスリット３７ａ、３７ｂと、前側部分３６ａの前側端および後側部分３６ｂの後側端との間には、ほぼ左右方向にそれぞれ延在している前側の把手部４１ａおよび後側の把手部４１ｂが配設されている。したがって、取扱者は、これら前後一対の把手部４１ａ、４１ｂを右手および左手でそれぞれ掴んで、新生児用ベッド６をその前後両側の部分で把持することができる。また、取扱者は、例えば前側の把手部４１ａを一方の手（すなわち、片手）で掴んで、新生児ベッド６をその前側の部分で把持することができる。そして、取扱者は、この把持状態において、新生児用ベッド構造１の全体を、４個のキャスタ３ａ、３ｂ、３ｃを利用して、所望の位置に移動させることができる。また、取扱者は、この把持状態において、前側の把手用スリット４１ａに隣接した位置においてかご受け７の下側面に直接または間接的に取付けられているロック解除操作手段としてのロック解除操作レバー４２を上記片手で往回動操作することによって、第２の支持機構としての前記連結機構を作動可能状態にしてから、新生児用ベッド６のほぼ前後方向における傾斜角度を変更させることができる。なお、かご受け７の外向きフランジ部３５の前側部分３６ａ（換言すれば、前側の把手用スリット３７ａとかご収容用凹部１１の前端との間でかつ左右方向におけるほぼ中央の部分）および後側部分３６ｂ（換言すれば、後側の把手用スリット３７ｂとかご収容用凹部１１の後端との間でかつ左右方向におけるほぼ中央の部分）のそれぞれの上面には、図１などに示すように、ロゴシール用、ネームシール用などのホルダ４３がそれぞれ配設されている。
【００２２】
かご受け７の下側面のほぼ中央の部分には、図４に示すように、下方から見てほぼ長方形状などである掘れ込み形状の凹部４４がほぼ前後方向に延在するように形成されている。そして、かご受け７の下側面は、図１、図４などに示すように、側方から見てほぼ円弧状に構成されている。また、かご受け７の下側面４５は、前方または後方から見てその中央部分４６がほぼ平ら（換言すれば、ほぼ水平な線）であるとともに、その左右両端部４７のそれぞれが中央部分４６よりもほぼ下方に突出している突出形状になっている。さらに、かご受け７における凹部４４の上端面（換言すれば、仕切り板部３４の下側板部）４９には、ほぼ箱蓋形状であってよい金属製などの取付け板４８がねじ止めなどによって取付け固定されている。
【００２３】
４、支柱機構の説明
【００２４】
支柱機構５は、図２などに示すように、外筒としての固定支柱５１と、この固定支柱５１に対して上昇および下降することができるように、直線往復動などの往復動が可能である内筒としての可動支柱５２とを備えている。なお、固定支柱５１の下端部は、台車４のベースカバー１３の中央開口２１を通してベースカバー１３内に挿入されてから、台車４の前記ベース部材に取付け固定されている。また、固定支柱５１の内部には、ガススプリング（図示せず）が配設されている。さらに、支柱機構５は、上記ガススプリングを作動させるための昇降操作手段としての昇降操作レバー（図示せず）を備えている。
【００２５】
図２などに示す可動支柱５２の上端部は、連結手段としての連結部材（図示せず）に取付けられている。そして、この連結部材は、取付け軸（図示せず）によって、新生児用ベッド６の取付け板４８（図４参照）に回動可能に取付けられている。また、昇降操作レバー（図示せず）は、上記連結部材に配設された支軸（図示せず）によって、上記連結部材に往復回動可能に取付けられている。さらに、上記昇降操作レバーは、コイルスプリングなどの機械式のスプリング（図示せず）によって、復回動方向に付勢されている。そして、可動支柱５２の上端部は、上記連結部材のほぼＵ字形状の取付け板部に、ねじ（図示せず）などによって、取付け固定されている。また、上記昇降操作レバーを往動操作したときには、制御用ワイヤ（図示せず）によって上記ガススプリングが作動して、可動支柱５２を上昇させようとする駆動力が可動支柱５２に加わる。このために、可動支柱５２が最上昇位置までに上昇しておらずかつ可動支柱５２の上昇を阻止する力が可動支柱５２に人為的に加えられていない場合には、可動支柱５２が上昇するので、新生児用ベッド６も可動支柱５２と一体となって上昇する。この場合、可動支柱５２および新生児用ベッド６のそれぞれの最大上昇位置は、上記ガススプリングの最大伸長状態によってほぼ決定されることができる。そして、上記昇降操作レバーを往回動させた状態（換言すれば、上記ガススプリングの作動状態）において、新生児用ベッド６をほぼ下方に向って押しつけると、可動支柱５２が、上記ガススプリングのガス圧に抗して下降するので、新生児用ベッド６も可動支柱５２と一体となって下降する。この場合、可動支柱５２および新生児用ベッド６のそれぞれの最大下降位置は、上記ガススプリングの最大短縮状態によって、ほぼ決定されることができる。そして、図２などに示すロック解除操作レバー４２を往動操作したときには、制御用ワイヤ（図示せず）によってこのロック操作解除レバー４２に連結されているロックレバー（図示せず）が往動してロック解除される。このために、取扱者は、かご受け７の把手用スリット３７ａ、３７ｂなどに手を掛けて新生児用ベッド６を把持した状態において、この新生児用ベッド６のほぼ前後方向における傾斜角度を変更させることができる。
【００２６】
支柱機構５は、図２などに示すように、支柱用のカバー５３を備えている。なお、支柱用カバー５３は、ほぼ円筒形状などの筒形状であってよい筒状部５３ａと、この筒状部５３ａの上端部の左右両側に一体成形された左右一対の鍔部５３ｂとから成っていてよい。また、左右一対の鍔部５３ｂには、ねじ挿通孔（図示せず）が形成されている。さらに、上記ねじ挿通孔に挿通されてから前記連結部材のねじ孔（図示せず）にねじ込まれた取付けねじ（図示せず）によって、左右一対の鍔部５３ｂが前記連結部材にねじ止め固定されている。このために、支柱用カバー５３は、その上端部を前記連結部材に取付けられている。そして、支柱用カバー５３の筒状部５３ａは、可動支柱５２のほぼ全体と、固定支柱５１のほぼ上半部とを、これらの外周側から覆っている。このために、固定支柱５１に対する可動支柱５２の摺動面付近に塵埃などの異物が侵入するのを、効果的に防止することができる。
【００２７】
５、かごロック機構の説明
【００２８】
かごロック機構６１は、図４および図５に示すように、つぎの（ａ）項〜（ｃ）項に記載する主要な構成要素を備えている：
（ａ）かご受け７に取付け固定されている被取付け部または被取付け手段としての取付け板４８、
（ｂ）かご受け７に収容される新生児収容かご１２の底部６２を支持することができる例えば４個のかご支持部またはかご支持手段としてのかご支持部材６３、および
（ｃ）新生児収容かご１２をかご受け７にロックすることができる例えば４個のかごロック部またはかごロック手段としてのかごロック部材６４。
【００２９】
軸支持部材としても機能するかご支持部材６３は、図４および図５に示すように、そのほぼ長さ方向に延在している軸挿入孔としての貫通孔６５を有しかつほぼ上下方向に延在している軸部６６と、この軸部６６のほぼ上端部付近においてこの軸部６６に一体成形されていてよくかつ平面的に見てほぼ円環形状であってよいほぼ板状の頭部としてのフランジ部６７とをそれぞれ備えている。そして、貫通孔６５は、板状頭部６７を貫通することによって、この板状頭部６７の上端まで延在してこの上端で開口している。また、軸部６６は、ほぼ円筒形状などのほぼ筒形状であってよい軸部本体７１と、それらの横断面がそれぞれほぼＴ字形状になるように、軸部本体７１のほぼ前後両側においてこの軸部本体７１に一体成形されていてよい前後一対の回り止め部７２ａ、７２ｂとをそれぞれ備えている。なお、前後一対の回り止め部７２ａ、７２ｂは、上記Ｔ字の下端部（換言すれば、回り止め部７２ａ、７２ｂの側端部）が軸部本体７１に一体成形されるように構成されていてよい。具体的には、軸部６６の横断面の全体形状は、アルファベットの大文字である「Ｉ」のほぼ中央部分が丸印「○」（ただし、直径がほぼ１／３になるように小さくしたもの）に置き換えられた形状にほぼ相当していてよい。そして、前後一対の回り止め部７２ａ、７２ｂの下端部は、図４などに示すように、軸部本体７１からほぼ下方に向ってさらに或る程度延在している。また、板状頭部６７は、この板状頭部６７のほぼ直径方向の全長にわたって延在していてよくかつほぼ長円形状であってよい突出部７８を備えている。さらに、板状頭部６７の上面には、突出部７８をほぼ左右両側から挟むように、ほぼ山形の形状であってよいほぼ左右一対のシール用ホルダとしてのへこみ部７３ａ、７３ｂが設けられている。そして、これらのへこみ部７３ａ、７３ｂのそれぞれには、へこみ部７３ａ、７３ｂとほぼ同形状であってよい桃色などのカラーシール７０が添付されている。また、かご支持部材６３の板状頭部６７の突状部７８の外周縁部には、図４に示すように、新生児収容かご１２の底面部３１のうちのこれと対応する開孔９１の外周縁部９２ａ、９２ｂなどの下側面付近が当接して支持されることができる。
【００３０】
かごロック部材６４は、図４および図５に示すように、その下端部付近にねじ部７５を有する金属製などの回動軸部７４と、この回動軸部７４の上端部に一体的に連結されている合成樹脂製などの摘み部兼用のロック部７６とをそれぞれ備えている。そして、ロック部７６は、ほぼ下方に向って延在していてほぼ円筒形状などのほぼ筒形状であってよい取付け軸部８１を備えている。また、この取付け軸部８１には、回動軸部７４の上端部が取付け状態で固定されている。なお、ロック部７６のほぼ平面的に見た形状は、図７に示すように、フランジ部６７の突出部７８とほぼ同形または１回り小さい形状であってよい。さらに、取付け板４８には、ほぼ長細い軸支用の孔または係止孔としての貫通孔８２が配設されている。そして、この貫通孔８２の長さ方向における中央部分の左右両側は、回動軸部７４が貫通孔８２に挿入されることができるように、ほぼ円弧状であってよい左右一対の膨出部８３を備えている。なお、貫通孔８２のうちの左右一対の膨出部８３を除く部分の横幅は、かご支持部材６３の前後一対の回り止め部７２ａ、７２ｂのそれぞれの横幅とほぼ一致している。このために、前後一対の回り止め部７２ａ、７２ｂのそれぞれが貫通孔８２に挿入されている状態においては、取付け板４８に対するかご支持部材６３の回動が効果的に防止される。
【００３１】
図４に示すように、かご支持部材６３およびかごロック部材６４のそれぞれをかご受け７および取付け板４８に組み込む場合には、まず、かご受け７の仕切り板部３４の上側板部８４の上方から、かご支持部材６３をかご受け７の貫通孔８０に挿通させる。この場合、かご支持部材６３の板状頭部６７の外周部付近が、上側板部８４上に当接する。また、かご支持部材６３の前後一対の回り止め部７２ａ、７２ｂの下端部付近が、取付け板４８の貫通孔８２に挿入される。ついで、かごロック部材６４の回動軸部７４および取付け軸部８１のそれぞれが、かご支持部材６３の貫通孔６５に挿通される。この場合、かごロック部材６４の回動軸部７４が、ワッシャ８５を挿入されてから、貫通孔６５に挿入される。また、回動軸部７４の下端部には、取付け板部４８の下側から、ワッシャ８６および皿ばね８７が挿入された後に緩み止めナット８８がねじ込まれる。このために、かごロック部材６４は、取扱者が摘み部７６を手動で回動操作することによって、回動軸部７４を中心として回動することが可能である。この結果、かご受け７には、図４および図６に示すように、かご支持部材６３、かごロック部材６４などの組合せからなる４組のかごロック機構６１のそれぞれが組み込まれることができる。
【００３２】
図２に示す状態において、取扱者がかご受け７のかご収容凹部１１に新生児収容かご１２を収容すると、図３および図６に示す新生児収容かご１２が図３および図６に示すかご受け７上に載置されるので、図１に示す新生児用ベッド構造１が得られる。一方、新生児収容かご１２には、かご受け７の４組のかごロック機構６のそれぞれに対応するように、閉ループ型のほぼ長円形状であってよい４個の開孔９１がそれぞれ配設されている。なお、４個の開孔９１は、必ずしも閉ループ型のほぼ長円形状である必要はなく、そのうちの幾つかまたは全部が開ループ型であってもよい。そして、４個の開孔９１は、図３および図７に示すように、４組のかごロック機構６１にそれぞれ対応する位置に配設されている。具体的には、これら４組のかごロック機構６１は、図２などに示すように、かご受け７のかご収容用凹部１１の左前側、右前側、左後側および右後側にそれぞれ配設されている。そして、４個の開孔９１は、図３などに示すように、新生児収容かご１２の底面部３１の左前側、右前側、左後側および右後側にそれぞれ形成されている。そして、開孔９１のそれぞれは、平面的に見て、４組のかごロック機構６１の摘み部兼用のロック部７６とほぼ同一または一回り大きいほぼ長円形状などの適当な形状に構成されている。また、この図７に示す状態においては、かごロック部材６４のロック部７６が、平面的に見て、新生児収容かご１２の開孔９１内に存在している。したがって、新生児収容かご１２をかご受け７からほぼ上方に持ち上げると、新生児収容かご１２をかご受け７から取出すことができる。さらに、図７に示す状態においては、取扱者は、４個のかご支持部材６３のフランジ部６７の上面に配設されている左右一対のカラーシール７０を視認することができる。したがって、取扱者は、４組のかごロック機構６１のうちのかごロック状態にある機構６１と、かご非ロック状態にある機構６１とを、視認によって明確に区別することができる。
【００３３】
図１、図４および図７に示す状態において、取扱者が、かごロック部材６４の摘み部兼用のロック部７６を手で持つなどして、かごロック部材６４を図７における時計方向または反時計方向にほぼ９０°回動させると、図８に示すロック状態が得られる。なお、上記回動の角度θは、ほぼ９０°である必要は必ずしもなく、一般的に言って、θ≒１８０°×Ｎ＋９０°であればよい。この場合、上記Ｎは、正整数である。そして、上記ロック状態においては、新生児収容かご１２の底部６２の開孔９１のほぼ左側の縁部９２ａおよびほぼ右側の縁部９２ｂがほぼ上方に浮き上るのが、ロック部７６の左側の端部９３ａおよび右側の端部９３ｂの付近によって、ほぼ確実に阻止される。このために、新生児収容かご１２がかご受け７から浮き上るのを効果的に防止することができる。なお、図８に示すロック状態においては、かご支持部材６３のフランジ部６７の上面に配設されている左右一対のカラーシール７０を視認することができない。したがって、取扱者は、この左右一対のカラーシール７０を備えているかごロック機構６１がかごロック状態であることを容易に認識することができる。そして、取扱者は、新生児収容かご１２をかご受け７から取外すときには、新生児収容かご１２をかご受け７に取付ける場合とは丁度逆の操作を行えばよい。
【００３４】
以上、本発明の一実施例について詳細に説明したが、本発明は、この実施例に限定されるものではなく、特許請求の範囲に記載されている発明の趣旨に基づいて各種の変更および修正を施されることが可能である。
【００３５】
例えば、上述の実施例においては、新生児収容かご１２の開孔９１の外周縁部９２ａ、９２ｂなどの下側面付近がかご支持部材６３の板状頭部６７の突出頭部６７の突出部７８のほぼ外周縁部に当接して支持されるように構成されている。しかし、新生児収容かご１２の外周縁部９２ａ、９２ｂなどの下側面付近がかご受け７の仕切り板部３４の上側板部８４の上側面などに直接に当接して支持されるように構成されていてもよい。
【００３６】
また、上述の実施例においては、新生児収容かご１２のほぼ全体を透明、半透明などの透光性に構成した。しかし、新生児収容かご１２のほぼ全体が透光性である必要は必ずしもなく、新生児収容かご１２が例えば部分的に透光性であってもよい。
【００３７】
また、上述の実施例においては、かご受け７のほぼ全体を不透明に構成した。しかし、かご受け７のほぼ全体が不透明である必要は必ずしもなく、かご受け７が例えば部分的に不透明であってもよい。
【００３８】
また、上述の実施例においては、４組のかごロック機構６１と４個の開孔９１とをそれぞれ設けた。しかし、かごロック機構６１は４組である必要は必ずしもなく、また、かごロック機構６１にそれぞれに対応するように配設される開孔９１も４個である必要は必ずしもない。そして、かごロック機構６１は、実用性の観点から見て一般的に、２組〜８組の範囲であるのが好ましく、３組〜６組の範囲であるのがさらに好ましい。また、かごロック機構６１にそれぞれ対応するように配設される開孔９１も、実用性の観点から見て一般的に、２個〜８個の範囲であるのが好ましく、３個〜６個の範囲であるのがさらに好ましい。
【００３９】
また、上述の実施例においては、可動支柱５２が固定支柱５１に対して上昇および下降することによって、かご受け７が固定支柱５１（ひいては、台車４）に対して上昇および下降することができるように構成した。しかし、かご受け７が固定支柱５１に対して上昇および下降することができる必要は必ずしもなく、したがって、可動支柱５２に相当する支柱が固定支柱５１に対して昇降不能に構成されていてもよい。
【００４０】
さらに、上述の実施例においては、かご受け７（ひいては、新生児用ベッド６）が、このかご受け７のほぼ前後方向における傾斜角度を変更させることができるように、可動支柱５２（ひいては、支柱機構５）に傾動可能に支持されている。しかし、かご受け７が支柱機構５に傾動可能に支持されている必要は必ずしもなく、したがって、かご受け７が支柱機構５に傾動不能に支持されていてもよい。
【符号の説明】
【００４１】
１      新生児用ベッド構造
４      台車
５      支柱機構（ベッド支持機構、第１の支持機構）
６      新生児用ベッド
７      かご受け
１２    新生児収容かご
６１    かごロック機構
６３    かご支持部材（軸支持部材）
６４    かごロック部材
６６    筒状軸部
６７    板状頭部（フランジ部、ほぼ板状の頭部）
７０    カラーシール
７４    回動軸部
７６    摘み部兼用のロック部
９１    ほぼ長手状の開孔
９２ａ  左側の外周縁部
９２ｂ  右側の外周縁部
【図１】
2015198817.tif 000003
【図２】
2015198817.tif 000004
【図３】
2015198817.tif 000005
【図４】
2015198817.tif 000006
【図５】
2015198817.tif 000007
【図６】
2015198817.tif 000008
【図７】
2015198817.tif 000009
【図８】
2015198817.tif 000010